(57)【要約】【課題】床掃除ワイパー用の長方形型の不織布シートを半分に切って長方形型の不織布シートのほぼ全体を無駄なく使用することができるスリッパを提供する。【解決手段】スリッパ１００は、ユーザーの足の甲を覆う甲表部１１０と、足を載せる中敷き部１２０と、中敷き部の下方に配設されて床面と接触する底部１３０とを備えている。底部が、スリッパ前後方向Ｄに長尺な平面視長方形に形成されているとともに、スリッパ前後方向における前面１３１および後面１３２を有している。前面１３１が、長方形型の不織布シート１４０の長尺方向の一端側１４１を係止する第１係止手段１３１ａを有している。後面１３２が、長方形型の不織布シートの長尺方向の他端側１４２を係止する第２係止手段１３２ａを有している。長方形型の不織布シート１４０が、底部の前面１３１、底面１３３および後面１３２を覆うように着脱自在に取り付けられている。【選択図】図２
0003230984.tif 000002
【実用新案登録請求の範囲】
【請求項１】
ユーザーの足の甲を覆う甲表部と、足を載せる中敷き部と、中敷き部の下方に配設されて床面と接触する底部とを備えたスリッパであって、
前記底部が、スリッパ前後方向に長尺な平面視長方形に形成されているとともに、スリッパ前後方向における前面および後面を有し、
前記前面が、長方形型の不織布シートの長尺方向の一端側を係止する第１係止手段を有し、
前記後面が、長方形型の不織布シートの長尺方向の他端側を係止する第２係止手段を有し、
前記長方形型の不織布シートが、前記底部の前面、底面および後面を覆うように着脱自在に取り付けられていることを特徴とするスリッパ。
【請求項２】
前記第１係止手段および第２係止手段が、面ファスナーのフック構造を有していることを特徴とする請求項１に記載のスリッパ。
【考案の詳細な説明】
【技術分野】
【０００１】
本考案は、ユーザーの足の甲を覆う甲表部と、足を載せる中敷き部と、中敷き部の下方に配設されて床面と接触する底部とを備えたスリッパに関する。
【背景技術】
【０００２】
従来、床面を清掃するモップ部と、モップ部を着脱可能に止着する面ファスナーを底裏面に備えたスリッパ型の履物基台とからなり、モップ部は、軸糸と軸糸に絡み付けられ且つ起毛された表糸とからなる巻糸が甘撚された撚状組織を多設して形成される第１態様の掃除スリッパが知られている（例えば、特許文献１）。
また、スリッパ底部に設けた第１部材と、第１部材の下部に配置した第２部材と、シートとを順次重ねて載置し、第１部材と前記第２部材とが対応する各周縁部を結合すると共に、シートは第１部材と第２部材との間で挟持した第２態様のスリッパが知られている（例えば、特許文献２）。
さらに、スリッパの底材に４個の軟質樹脂製の止め具を取り付けた第３態様のスリッパが知られている（例えば、特許文献３）。
【先行技術文献】
【特許文献】
【０００３】
【特許文献１】実用新案登録第３１３７３９２号公報
【特許文献２】特開２０１８−１２２０６８号公報
【特許文献３】特開２００５−１４４１１１号公報
【考案の概要】
【考案が解決しようとする課題】
【０００４】
しかしながら、上述した従来の第１態様の掃除スリッパは、モップ部で汚れを取る構成であったため、モップ部が汚れると掃除スリッパ全体を洗濯機などで洗う必要があり、洗うと掃除スリッパの形が崩れてしまい、形が崩れるとスリッパとして使い続けることが困難であるという問題があった。
また、従来の第２態様のスリッパは、シートが汚れるとシートを新しいものと交換すればよいが、底部が足の形状に沿った形に形成された構造であったため、簡単に入手できるシートは長方形であり、シートの端や角が床と接触せず、汚れない箇所の無駄が多いという問題があった。
これと同様、従来の第３態様のスリッパは、吸着シートの幅方向両端をまくり上げて止め具で留める構成であったため、シートの端や角が床と接触せず、汚れない箇所の無駄が多いという問題があった。
【０００５】
そこで、本考案は、前述したような従来技術の問題を解決するものであって、すなわち、本考案の目的は、床掃除ワイパー用の長方形型の不織布シートを半分に切って長方形型の不織布シートのほぼ全体を無駄なく使用することができるスリッパを提供することである。
【課題を解決するための手段】
【０００６】
本請求項１に係る考案は、ユーザーの足の甲を覆う甲表部と、足を載せる中敷き部と、中敷き部の下方に配設されて床面と接触する底部とを備えたスリッパであって、前記底部が、スリッパ前後方向に長尺な平面視長方形に形成されているとともに、スリッパ前後方向における前面および後面を有し、前記前面が、長方形型の不織布シートの長尺方向の一端側を係止する第１係止手段を有し、前記後面が、長方形型の不織布シートの長尺方向の他端側を係止する第２係止手段を有し、前記長方形型の不織布シートが、前記底部の前面、底面および後面を覆うように着脱自在に取り付けられていることにより、前述した課題を解決するものである。
【０００７】
本請求項２に係る考案は、請求項１に記載されたスリッパの構成に加えて、前記第１係止手段および第２係止手段が、面ファスナーのフック構造を有していることにより、前述した課題をさらに解決するものである。
【考案の効果】
【０００８】
本考案のスリッパは、ユーザーの足の甲を覆う甲表部と、足を載せる中敷き部と、中敷き部の下方に配設されて床面と接触する底部とを備えていることにより、ユーザーはスリッパを足に履いて歩くことができるばかりでなく、以下のような特有の効果を奏することができる。
【０００９】
本請求項１に係る考案のスリッパによれば、長方形型の不織布シートが長方形の底部の底面を覆っているため、床掃除ワイパー用の長方形型の不織布シートを半分に切って長方形型の不織布シートのほぼ全体を無駄なく使用することができる。
さらに、前面および後面を床の端に押し当てるようにすると、前面および後面を覆っている部分の不織布シートに床の端のほこりなどが付着するため、長方形型の不織布シートの全体を無駄なく使用することができる。
また、長方形型の不織布シートが着脱自在に底部に取り付けられているため、ユーザーは汚れが溜まった不織布シートを簡単に交換することができる。
【００１０】
本請求項２に係る考案のスリッパによれば、請求項１に係る考案が奏する効果に加えて、面ファスナーのフック構造は不織布シートと係止自在なため、ユーザーは不織布シートを簡単に交換することができる。
さらに、面ファスナーのフック構造は平坦であり係止される不織布シートも平坦になり、前面および後面を覆っている部分の不織布シートに床の端のほこりなどが付着しやすくなるため、長方形型の不織布シートの全体を無駄なく使用することができる。
【図面の簡単な説明】
【００１１】
【図１】本考案の実施例であるスリッパの概念を示す斜視図。
【図２】（Ａ）（Ｂ）は本考案の実施例であるスリッパの側面図および平面図。
【考案を実施するための形態】
【００１２】
本考案のスリッパは、ユーザーの足の甲を覆う甲表部と、足を載せる中敷き部と、中敷き部の下方に配設されて床面と接触する底部とを備え、底部が、スリッパ前後方向に長尺な平面視長方形に形成されているとともに、スリッパ前後方向における前面および後面を有し、前面が、長方形型の不織布シートの長尺方向の一端側を係止する第１係止手段を有し、後面が、長方形型の不織布シートの長尺方向の他端側を係止する第２係止手段を有し、長方形型の不織布シートが、底部の前面、底面および後面を覆うように着脱自在に取り付けられていることにより、床掃除ワイパー用の長方形型の不織布シートを半分に切って長方形型の不織布シートのほぼ全体を無駄なく使用するとともに、ユーザーは汚れが溜まった不織布シートを簡単に交換することができるものであれば、その具体的な実施態様は、如何なるものであっても構わない。
【００１３】
例えば、甲表部、中敷き部および底部の材質は、履き心地がよいものであれば如何なるものであっても構わない。
また、長方形型の不織布シートは、床掃除ワイパー用などの長方形型の不織布シートであって、使い捨てのものであれば如何なるものであっても構わない。
【実施例】
【００１４】
以下に、本考案の実施例であるスリッパ１００について、図１乃至図２（Ｂ）に基づいて説明する。
ここで、図１は、本考案の実施例であるスリッパ１００の概念を示す斜視図であり、図２（Ａ）は、本考案の実施例であるスリッパ１００の側面図であり、図２（Ｂ）は、本考案の実施例であるスリッパ１００の平面図である。
なお、本考案を理解しやすいように図２（Ａ）および図２（Ｂ）では一足（左右一組）のスリッパ１００の一方のみを図示する。
【００１５】
本考案の実施例であるスリッパ１００は、図１乃至図２（Ｂ）に示すように、ユーザーの足の甲を覆う甲表部１１０と、足を載せる中敷き部１２０と、中敷き部１２０の下方に配設されて床面と接触する底部１３０とを備えている。
中敷き部１２０は、詳細の図示を省略するが、一例としてたたみの表面と同様に設けられている。
【００１６】
このうち、底部１３０が、スリッパ前後方向Ｄに長尺な平面視長方形に形成されている。
一例として、底部１３０は、発泡ウレタン樹脂で形成され、スリッパ前後方向Ｄにおいて、長さ約２８センチメートル、スリッパ前後方向Ｄに対する幅約１０センチメートル、厚み約１センチメートルである。
底部１３０は、長さ２７〜２８センチメートル、スリッパ前後方向Ｄに対する幅９．５〜１０センチメートル、厚み０．８〜１．５センチメートルであればよい。
【００１７】
また、底部１３０が、スリッパ前後方向Ｄにおける前面１３１および後面１３２を有している。
そして、前面１３１が、長方形型の不織布シート１４０の長尺方向の一端側１４１を係止する第１係止手段１３１ａを有している。
これと同様に、後面１３２が、長方形型の不織布シート１４０の長尺方向の他端側１４２を係止する第２係止手段１３２ａを有している。
【００１８】
ここで、第１係止手段１３１ａおよび第２係止手段１３２ａは、面ファスナーのフック構造を有してフックが不織布シート１４０を係止するものや、複数の軟性の爪を有して爪が不織布シート１４０を挟持するものや、凹部分および凸部分を有して凹部分と凸部分とが不織布シート１４０を挟持するものなど、不織布シート１４０を係止するものであれば、如何なるものであっても構わない。
そして、長方形型の不織布シート１４０が、底部１３０の前面１３１、底面１３３および後面１３２を覆うように着脱自在に取り付けられている。
【００１９】
これにより、長方形型の不織布シート１４０が長方形の底部１３０の底面１３３を覆っている。
その結果、床掃除ワイパー用の長方形型の不織布シート１４０を半分に切って長方形型の不織布シート１４０のほぼ全体を無駄なく使用することができる。
なお、多くのメーカーの床掃除ワイパー用の長方形型の不織布シート１４０の寸法は、約２０×３０センチメートルである。
これを半分に切って、約１０×３０センチメートルのサイズにすると、ちょうど、本考案のスリッパ１００の１足分の長方形型の不織布シート１４０となる。
【００２０】
さらに、前面１３１および後面１３２を床の端に押し当てるようにすると、前面１３１および後面１３２を覆っている部分の不織布シート１４０に床の端のほこりなどが付着する。
その結果、長方形型の不織布シート１４０の全体を無駄なく使用することができる。
また、長方形型の不織布シート１４０が着脱自在に底部１３０に取り付けられている。
その結果、ユーザーは汚れが溜まった不織布シート１４０を簡単に交換することができる。
【００２１】
さらに、本実施例では、第１係止手段１３１ａおよび第２係止手段１３２ａが、面ファスナーのフック構造を有している。
例えば、前面１３１の数カ所または全体に面ファスナーのフック構造を有したシートを第１係止手段１３１ａとして貼る。
これと同様に、後面１３２の数カ所または全体に面ファスナーのフック構造を有したシートを第２係止手段１３２ａとして貼る。
【００２２】
これにより、面ファスナーのフック構造は不織布シート１４０と係止自在になる。
その結果、ユーザーは不織布シート１４０を簡単に交換することができる。
さらに、面ファスナーのフック構造は平坦であり係止される不織布シート１４０も平坦になり、前面１３１および後面１３２を覆っている部分の不織布シート１４０に床の端のほこりなどが付着しやすくなる。
その結果、長方形型の不織布シート１４０の全体を無駄なく使用することができる。
【００２３】
なお、本実施例では、底部１３０の前面１３１および後面１３２で不織布シート１４０を係止したが、不織布シート１４０の幅１０センチメートルに対して底部１３０の幅を約９センチメートルにして、第１係止手段１３１ａおよび第２係止手段１３２ａに加えて、底部１３０の左右一方の側面の第３係止手段で底部１３０の底面１３３からはみ出した不織布シート１４０の１センチメートルの側方端側を係止するように構成してもよい。
この場合、スリッパ１００の右用と左用とにおける底部１３０の左右外側または内側に第３係止手段が位置するようにするとよい。
また、不織布シート１４０の幅１０センチメートルに対して底部１３０の幅を約８センチメートルにして、第１係止手段１３１ａおよび第２係止手段１３２ａに加えて、底部１３０の左右両側の側面の第３係止手段、第４係止手段で底部１３０の底面１３３から左右両側それぞれへはみ出した不織布シート１４０の１センチメートルの側方端側をそれぞれ係止するように構成してもよい。
この場合、スリッパ１００の右用と左用とにおける底部１３０の左右外側に第３係止手段が位置し、左右内側に第４係止手段が位置する。
第３係止手段および第４係止手段は、第１係止手段１３１ａおよび第２係止手段１３２ａと同様、一例として面ファスナーのフック構造を有している。
また、本実施例では、底部１３０を、スリッパ前後方向Ｄに長尺な平面視長方形に形成したが、平面視長方形には、多少なりとも長方形の角を丸めたものも含まれる。
【００２４】
このようにして得られた本考案の実施例であるスリッパ１００は、ユーザーの足の甲を覆う甲表部１１０と、足を載せる中敷き部１２０と、中敷き部１２０の下方に配設されて床面と接触する底部１３０とを備え、底部１３０が、スリッパ前後方向Ｄに長尺な平面視長方形に形成されているとともに、スリッパ前後方向Ｄにおける前面１３１および後面１３２を有し、前面１３１が、長方形型の不織布シート１４０の長尺方向の一端側１４１を係止する第１係止手段１３１ａを有し、後面１３２が、長方形型の不織布シート１４０の長尺方向の他端側１４２を係止する第２係止手段１３２ａを有し、長方形型の不織布シート１４０が、底部１３０の前面１３１、底面１３３および後面１３２を覆うように着脱自在に取り付けられていることにより、床掃除ワイパー用の長方形型の不織布シート１４０を半分に切って長方形型の不織布シート１４０のほぼ全体を無駄なく使用することができるとともに、ユーザーは汚れが溜まった不織布シート１４０を簡単に交換することができる。
【００２５】
さらに、第１係止手段１３１ａおよび第２係止手段１３２ａが、面ファスナーのフック構造を有していることにより、ユーザーは不織布シート１４０を簡単に交換することができるとともに、長方形型の不織布シート１４０の全体を無駄なく使用することができるなど、その効果は甚大である。
【符号の説明】
【００２６】
１００  ・・・  スリッパ
１１０  ・・・  甲表部
１２０  ・・・  中敷き部
１３０  ・・・  底部
１３１  ・・・  前面
１３１ａ・・・  第１係止手段
１３２  ・・・  後面
１３２ａ・・・  第２係止手段
１３３  ・・・  底面
１４０  ・・・  不織布シート
１４１  ・・・  （不織布シートの長尺方向の）一端側
１４２  ・・・  （不織布シートの長尺方向の）他端側
Ｄ      ・・・  スリッパ前後方向
【図１】
0003230984.tif 000003
【図２】
0003230984.tif 000004